(57)【要約】  本出願は、外部全体とその中に含まれる電子部品とを有する電子装置に関する。電子部品は第１の電気コネクタを含み、第１の電気コネクタは、第１の電気コネクタが外部電源及び／又はデータコネクタに接続されたときに、電子部品に電力及び／又はデータを供給するように及び／又は電子部品からデータ信号を出力するように構成される。第１の電気コネクタは、電子部品の基面と実質的に同一平面上にあるパターンに構成された複数の第１の電気接点を含む。外部全体の基部は、電子部品の基面における第１の電気コネクタの位置及び大きさに対応する第１の開口部を含む。第１の開口部は、第１の電気コネクタの複数の第１の電気接点が、電子装置の外部の第２の表面に設けられた外部電源及び／又はデータコネクタの対応する複数の電気接点と電気的に結合することを可能にする。
2019530372.tif 000002
【特許請求の範囲】
【請求項１】
電子装置であって、
上部部分及び基部を含む外部全体と、
前記外部全体の内側に含まれる電子部品とを備え、前記電子部品は第１の電気コネクタを含み、前記第１の電気コネクタが外部電源及び／又はデータコネクタに接続されたときに、前記第１の電気コネクタは、電力及び／又はデータを前記電子部品に供給するように及び／又は前記電子部品からデータ信号を出力するように構成され、前記第１の電気コネクタは、前記電子部品の基面と実質的に同一平面上にあるパターンに構成された複数の第１の電気接点を含み、
前記基部は、前記電子部品の前記基面における前記第１の電気コネクタの位置及び大きさに対応する第１の開口部を含み、前記第１の開口部は、前記第１の電気コネクタの前記第１の電気接点が、前記電子装置の外部の第２の表面に設けられた前記外部電源及び／又はデータコネクタの対応する第２の電気接点と電気的に結合することを可能にするように構成される、電子装置。
【請求項２】
前記上部部分と前記基部とは分離可能であり、前記上部部分は前記電子部品に結合されて結合された上部部分を形成することにより、適合性のある異なる複数の基部と前記基部の交換を可能にし、前記適合性のある異なる複数の基部の各々は、前記電子部品の前記基面における前記第１の電気コネクタの前記位置及び大きさに対応する第２の開口部を含む、請求項１に記載の電子装置。
【請求項３】
前記上部部分と前記基部とは、前記上部部分及び前記基部の一方又は両方の人間の手動操作により、確実に接合されたり、分離されたりするように構成される、請求項２に記載の電子装置。
【請求項４】
前記結合された上部部分は、第１の取り付け構造を有する第１の内面と、前記第１の内面を越えて前記第１の取り付け構造と反対方向に延在する第１の外面とを含み、前記第１の内面は前記電子部品の外周面を規定し、
前記基部は第２の取り付け構造と円形開口部を有する第２の内面を含み、
前記第１及び第２の内面は、前記基部の前記円形開口部を通る前記第１の内面の移動により、前記結合された上部部分及び基部を分離位置から接合位置に移動することを可能にする適合性のある形状を有し、それにより、前記結合された上部部分及び前記基部が前記接合位置にあるとき、前記第１及び第２の内面は、前記第１及び第２の取り付け構造間の相互作用を可能にする入れ子構造を形成し、かつ前記接合された上部部分は前記基部に接する、請求項３に記載の電子装置。
【請求項５】
前記第１の電気コネクタは、高速ネットワーク動作を可能にするために、前記電子部品への有線のネットワーク接続を提供するように構成されている、請求項１〜４のいずれか一項に記載の電子装置。
【請求項６】
前記第１の電気コネクタは、前記電子部品によって実行される１つ以上のソフトウェアアプリケーションによって提供されるデジタル信号を出力するように構成され、前記デジタル信号は、可聴命令、制御データ、及び位置情報を含む、１つ以上のビデオ情報、音声信号、ユーザインタラクション情報を伝達する、請求項１〜５のいずれか一項に記載の電子装置。
【請求項７】
前記第２の表面がゲーミングシステムに設けられるとき、前記電子部品は、前記電子部品の機能を介してユーザによって伝達されるユーザゲーミング入力を、前記第１の電気コネクタを介して出力するように構成される、請求項１〜６のいずれか一項に記載の電子装置。
【請求項８】
前記第２の表面がオーディオシステムに設けられるとき、前記電子部品は、前記電子部品の機能を介して伝達される音声情報を、前記第１の電気コネクタを介して出力するように構成される、請求項１〜７のいずれか一項に記載の電子装置。
【請求項９】
前記第２の表面がデジタルメディアプレーヤシステムに設けられるとき、前記電子部品は、前記電子部品の機能を介して伝達されるデジタルメディア情報を、前記第１の電気コネクタを介して出力するように構成される、請求項１〜８のいずれか一項に記載の電子装置。
【請求項１０】
前記第２の表面が携帯電子システムに設けられるとき、前記電子部品は、前記電子部品の機能によって伝達される前記携帯電子システムの移動を制御するための制御情報を出力するように構成され、前記機能はユーザコマンド及び電子部品によって実行されるアプリケーションの出力の１つ以上を反映する、請求項１〜９のいずれか一項に記載の電子装置。
【請求項１１】
前記第１の電気接点が実質的に平坦でありかつ前記基部分が実質的に平坦であることによって、前記電子装置は、実質的に平坦な外部電源及び／又はデータコネクタの前記対応する第２の電気接点に接続できる、請求項１〜１０のいずれか一項に記載の電子装置。
【請求項１２】
前記第１の電気接点は、線状配置の４つの接点を備える、請求項１〜１１のいずれか一項に記載の電子装置。
【請求項１３】
前記基部は円形であり、前記基部の前記第１の開口部は基部と環状である、請求項１〜１２のいずれか一項に記載の電子装置。
【請求項１４】
ハウジングシステムと、
ハウジングシステム内に収容された第１の電子部品とを備え、前記第１の電子部品は第１のセットの機能を有し、
前記第１の電子部品は、実質的に平面状の外部電源及び／又はデータコネクタを含み、前記外部電源及び／又はデータコネクタは、前記ハウジングの第１の表面に構成され、かつ所定の形状、大きさ、及び配列の複数の第１の電気接点を有し、
前記ハウジングシステムの前記第１の表面は、前記複数の第１の電気接点を含む結合領域を含み、
前記外部電源及び／又はデータコネクタは、前記結合領域において電子装置の基面に設けられた第１の電気コネクタと電気的に接続するように構成され、前記第１の電気コネクタは、前記外部電源及び／又はデータコネクタの前記所定の形状、大きさ、及び配列の複数の第２の電気接点に対応する実質的に平坦な複数の第１の電気接点を含み、それにより、前記電子装置が前記ハウジングシステムに結合された場合に、前記電子装置は、前記電子装置の第２のセットの機能に従って、前記ハウジングシステムの前記第１のセットの機能と相互作用できる、電子システム。
【請求項１５】
前記ハウジングシステムはゲーミングシステムであり、前記第１の電子部品は、前記第１の電子部品の機能を介してユーザによって伝達されるユーザゲーミング入力を、前記第１の電気コネクタを介して前記ゲーミングシステムへ出力するように構成される、請求項１４に記載の電子システム。
【請求項１６】
前記ハウジングシステムはオーディオシステムであり、前記電子部品は、前記第１の電子部品の機能を介して伝達される音声情報を、前記第１の電気コネクタを介して出力するように構成される、請求項１４又は１５に記載の電子システム。
【請求項１７】
前記ハウジングシステムはデジタルメディアプレーヤシステムであり、前記第１の電子部品は、前記第１の電子部品の機能を介して伝達されるデジタルメディア情報を、前記第１の電気コネクタを介して出力するように構成される、請求項１４〜１６のいずれか一項に記載の電子システム。
【請求項１８】
前記ハウジングシステムは、物理的に移動が可能な携帯電子システムであり、前記第１の電子部品は、前記第１の電子部品の機能により伝達される前記携帯電子システムの移動を制御するための制御情報を、前記第１の電気コネクタを介して出力するように構成され、前記機能は前記電子装置へのユーザコマンド及び前記電子装置によって実行されるアプリケーションの出力の１つ以上を反映する、請求項１４〜１７のいずれか一項に記載の電子システム。
【請求項１９】
電子装置であって、エレクトロニクス部分と、前記エレクトロニクス部分の底部に位置付けられた電力／データコネクタを有する前記エレクトロニクス部分の一部の上に突出する外面とを備え、前記電力／データコネクタは、前記電子装置から分離した第２の表面に構成された適合性のある電力／データコネクタに結合するように構成される、電子装置。
【請求項２０】
前記エレクトロニクス部分の前記底部及び前記第２の表面における相補的な取り付け構造によって、前記電子装置と前記第２の表面との間に確実であるが分離可能な接続が形成され、前記相補的な取り付け構造は、前記エレクトロニクス部分と前記第２の表面とが互いに近接しているときに磁気引力により係合する、請求項１９に記載の電子装置。
【発明の詳細な説明】
【技術分野】
【０００１】
本出願はスマートホーム又はスマートメディア環境においてユーザインターフェースとして使用される音声起動式電子装置を提供するための方法及びシステムを含むが、これらの方法やシステムに限定されないコンピュータ技術に一般的に関する。
【背景技術】
【０００２】
マイクロフォンと一体化された電子装置は、ユーザからの音声入力を収集し、音声入力に従って異なる音声起動機能を実施するために広く使用されてきた。例えば、多くの最先端のモバイル装置は、電話をかけたり、レストランを検索したり、地図上でルーティングを開始したり、カレンダーで予定を作成したり、ソーシャルネットワークへの投稿を追加したり、曲を認識したり、その他多くのタスクを完了させたりするのに、音声入力を使用するように構成された音声アシスタントシステム（例えば、Ｇｏｏｇｌｅ  Ａｓｓｉｓｔａｎｔ）を含む。携帯装置は、音声入力を行うユーザが音声入力を介して要求されたタスクの状態をチェックすることを可能にする、ディスプレイ画面をしばしば含む。いくつかの実装形態では、比較的単純な構造を有し低コストで作られた電子装置が、携帯装置によって提供されるものと同様の音声起動機能を実装するために用いられている。ディスプレイ画面をそのような電子装置に搭載することは、装置のコストを大幅に増加させる。したがって、一つ以上のマイクロフォンを含み、音声インターフェイスとして機能する電子装置において、音声入力処理の状態を表示するための単純で低コストのユーザインターフェースに対してニーズがある。
【０００３】
さらに、現在携帯装置に実装されている音声起動機能は、リモートサーバ（例えば、検索エンジン、ソーシャルネットワークサーバ、又は音声アシスタントサーバ）を含むインターネットを基礎とした機能に限定されている。音声起動機能の結果は、携帯装置自体（すなわち、音声入力を受信するために使用されるモバイル装置）に表示されるか、又はそれを制御するために使用され、ユーザがアクセス可能な他のリモート又はローカルの電子装置に影響を及ぼさない。したがって、音声起動式電子装置が、ユーザの音声入力に作用してユーザがアクセス可能な他のリモート又はローカルの電子装置に影響を及ぼすこと及び／又は制御することができれば、有用であろう。
【０００４】
もしユーザが、音声起動機能から利益を得るであろう様々なスマートホーム及び／又は職場環境において、単一の音声起動式電子装置を便利に配備することができれば、ユーザにとって有用であろう。
【発明の概要】
【課題を解決するための手段】
【０００５】
概要
スモールフォームファクタにおける音声アシスタント機能を提供する音声起動式電子装置が開示される。その音声アシスタント機能は、ユーザが自然言語音声コマンドによって一連の活動を実行することを可能にし、その一連の活動は、ローカル及びリモート電子装置を制御すること、リモートサーバへサービス及び情報の要求を発行すること、及び／又はそのユーザ又は他のユーザによる消費のために他の電子装置へメディア情報を送信することのうち一つ以上を含む。いくつかの実装形態において、音声起動式電子装置は、ユーザからの音声の要求に関連する音声処理の状態を示すために使用される、一つ以上のフルカラーＬＥＤなどの視覚的表示器を含む。いくつかの実装形態において、音声起動式電子装置は、可聴情報をユーザに中継して、ユーザ要求（検索クエリ又はバスケットボールのスコアの要求など）に対する回答を提供したり、音声処理動作の状態を音声で提供したり、選択した楽曲を演奏したり、及び／又は現在のニュース又は現在の天気予報の概要を読み上げたりするために用いることができる１つ以上のスピーカを含む。音声入力がユーザにとって便利であることを考えると、いくつかの実装形態では、ユーザが音声入力を利用することによって、リモートサーバ及び携帯装置から、インターネットを基礎としたサービス及び機能を要求することに加えて、ユーザにとってアクセス可能な他の電子装置を制御することを可能にする。
【０００６】
したがって、関連するメディアプレーヤ装置上で音声起動機能を起動させたり、リモートサーバに情報要求を発行したり、可聴情報又はメディアを消費したり、及び／又は、スマートメディア又はスマートホーム環境において音声起動式電子装置内に結合されたスマートホーム又はスマートメディア装置を制御したりすることがユーザにとって可能になる、アイズフリーかつハンズフリーな音声インターフェイスを提供する電子機器の実装形態が、本明細書に記載されている。本明細書に記載の様々な実装形態において、スマートメディア環境は、１つ以上の音声起動式電子装置及び複数のメディア表示装置を含み、それらの装置はそれぞれ別個の場所に配置される。また、いくつかの実装形態において、これらのデバイスは、キャストデバイス（例えば、セットトップボックス、グーグルクロムキャスト（Ｇｏｏｇｌｅ  ＣｈｒｏｍｅｃａｓｔＴＭ）、スマートテレビ等）に結合される。これら装置は、ユーザによって口頭で特定されたメディアアイテムを再生するよう、音声起動式電子装置に対して発行された音声要求を介して指示され得る。
【０００７】
いくつかの実装形態では、本明細書で説明されているスマートホーム環境は、音声起動式電子装置を使用して様々な音声起動機能を提供することができる広範囲の環境／アプリケーションを含む。例えば、これらのアプリケーションは、職場／オフィス環境における音声起動式電子装置の配備により、ユーザの音声入力に応答して、職場／オフィス装置を制御したり、環境内のディスプレイ上に情報を提供したりすることを含む。ネットワーク接続型の音声起動式電子装置は、適合性のあるフォームファクタ並びに電気的及び／又は機械的特徴を提供する交通、公共、スポーツ及び／又は類似の環境においても制限なく使用することができる。その適合性のあるフォームファクタ並びに電気的及び／又は機械的特徴は、便利な電気的接続を有する適合性のある電子機器を提供するため（例えば、データ信号及び／又は電力及び／又は追加のユーザインターフェース又はディスプレイを提供する／受け取るため）、及び物理的接続を提供するため（例えば、安全ではあるが、一時的に、装置を都合のよい場所に配置するため）のものである。
【０００８】
例えば、本明細書に記載の物理的及び電気的接続の特徴を利用して、ユーザの単一の音声起動式電子装置を一時的に、ユーザの自動車、ユーザのオフィス、様々なホームエンターテイメント装置、又は公共の会議場に配備することができる。そして、使い慣れた音声インターフェイスを介して環境に適した音声起動機能を提供することができる（いくつかの例においては、特定のユーザを認識し、最適に対応するようにトレーニングされている）。さらに、適合性のあるフォームファクタ及び電気的及び／又は機械的機能を含む、本明細書に記載の装置接続機能は、複数の異なるタイプの適合性のある音声起動式装置及び適合性のある取り付け構造の開発を可能にする。これらは、異なる環境の間及び異なるアプリケーション間において、それぞれの音声起動式かつネットワーク方式の音声起動式装置を、ユーザが容易に接続したり移動したりすることを可能にする。集合的に又は個別的に、本願の目的に対して、これらの様々な環境及びアプリケーションはすべて、先述の装置接続及び携帯性機能の適用から利益を受けるであろうスマートホーム又はスマートメディア環境であると考えられる。
【０００９】
ネットワーク接続型の音声起動式電子装置は、通常、スマートホーム環境の異なる場所の表面に配置される。そういうわけで、いくつかの実装形態においては、音声アシスタント電子装置は、スマートホーム環境全体に適合し及び／又はその環境全体を通して複数の適合性のある表面及び装置と統合することができるフォームファクタ及び外観を有するように構成される。例えば、いくつかの実装形態においては、音声起動式電子装置は、様々なホーム環境における表面仕上げにより良く合致するように交換することができる分離可能な基部を含む。いくつかの実装形態において、分離可能な基部は、布地、皮革、金属、及び平滑など、様々な表面外観を有する分離可能なグリル（grill）である場合もある。いくつかの実装形態においては、基部は、磁気吸引力を介して電子装置の上部部分に接続され、これにより、電子装置の基部及び上部部分を確実に固定するが、ユーザの手動操作を用いて分離可能にすることができる。いくつかの実装形態においては、基部と上部部分は、ねじれ動作とその後の分離動作によって分離でき、またいくつかの実装形態においては、分離動作のみで基部と上部部分を分離できる。
【００１０】
いくつかの実装形態においては、基部は円形の断面を有し、第１の表面に円形の開口部を含む。その円形の開口部は、（電気装置の電子部品を含む）上部部分における電源及び／又はデータコネクタ（すなわち、電気コネクタ）を、その円形の開口部を通して適合性のある外部電源及び／又はデータコネクタに接続することを可能にする。いくつかの実装形態では、上部部分の電気コネクタは実質的に平面的である。したがって、本明細書の説明に従って設計された電子装置は、電力及び／又はデータを提供するか、又は電子装置によるデータ出力（例えば、その装置によって実行されるプログラムによって生成されたデータ）を受信する広範囲の異なる表面、適合性のある基部、ドック、及び／又は他の電子装置に対して、適合性のある外部電源及び／又はデータコネクタを介して結合できる。いくつかの実装形態においては、電子装置によって提供される電気コネクタは、実質的に平面的な配置の複数の小さな電気接点を含む。いくつかの例では、コネクタは、一列に配置された４つの電気の接点を含む。
【００１１】
本願の一つの側面によれば、電子装置は、第１の取り付け構造を有する第１の内面と、第１の内面を越えて第１の取り付け構造と反対方向に延在する第１の外面を備えた第１の部分と、第２の取り付け構造と、円形の開口部を有する第２の内面を備えた第２の部分とを含む。第１及び第２の内面は、第２の部分の円形開口部を通じた第１の内面の移動によって、第１及び第２の部分を分離位置から接合位置に移動可能にする適合性のある形状を有する。それにより、第１の部分と第２の部分とが接合位置にある場合、第１及び第２の内面は、第１及び第２の取り付け構造の間での相互作用を可能にする入れ子状に配置され、延在部分は第２の部分に接する。第１及び第２の取り付け構造は、第１及び第２の部分が接合位置にあるときには、磁気吸引力を介して、確実ではあるが互いに分離可能であるような接続を形成するように構成される。第１の部分及び第２の部分は、第１の部分及び第２の部分の一方又は両方の人間による手動操作により、互いに確実に結合されるが分離可能である接続を形成して、第１の部分及び第２の部分を分離位置と接合位置との間で移動させるように構成される。
【００１２】
本願の一つの側面によれば、電子装置のためのカバー部分は、第２の取り付け構造を有する第２の内面と円形開口部とを備えた基部を含む。基部は、第１の取り付け構造を有する第１の内面と、第１の内面を越えて第１の取り付け構造と反対方向に延在する第１の外面とを備えた、電子装置の第１の部分と接合するように構成される。第２の内面は、第１の内面が基部の円形開口部を通って移動できるように構成される。その結果、第１の部分と第２の部分とを、分離位置（例えば、図２Ａ）から接合位置（例えば、図１Ａ及び図１Ｂ）に移動する場合に、第１及び第２の内面は、第１及び第２の取り付け構造の間での相互作用を可能にする入れ子状の配置を形成し、延在部分は第２の部分に接する。第２の取り付け構造は、第１及び第２の部分が接合位置にある場合に、磁気引力を介して第１の取り付け構造への確実ではあるが分離可能な接続を形成するように構成される。基部は、分離位置と接合位置との間で第１及び第２の部分を移動させるよう、第１の部分と第２の部分の一方又は両方の人間による手動操作により、第１の部分に確実に接合されかつ第１の部分から分離可能であるように構成される。
【００１３】
上記に記載された様々な実装形態のより良い理解のために、添付の図面と併せて、以下の実施についての説明を参照する必要がある。図面全体を通して、同様の参照番号は対応する部分を指す。
【図面の簡単な説明】
【００１４】
【図１Ａ】いくつかの実装形態に従う、例示的な音声起動式電子装置の正面図である。
【図１Ｂ】いくつかの実装形態に従う、例示的な音声起動式電子装置の背面図である。
【図２Ａ】いくつかの実装形態に従うオープン構成における電子装置の基部に収容されたスピーカを示す例示的な音声起動式電子装置の斜視図である。
【図２Ｂ】いくつかの実装形態に従う、スピーカを含む例示的な音声起動式電子装置の上部部分の底面図である。
【図２Ｃ】いくつかの実装形態に従う、上部部分のスピーカを含むように構成された例示的な音声起動式電子装置の基部の上面図である。
【図２Ｄ】いくつかの実装形態に従う、例示的な音声起動式電子装置の底面図であり、その装置において上部部分のスピーカは基部内に組み立てられる。
【図２Ｅ】電子装置の上部部分の正面図である。
【図２Ｆ】電子装置の上部部分の側面図である。
【図３Ａ】図３Ａは、いくつかの実装形態に従う、音声起動式電子装置及びドッキングデバイスを含む例示的な電子システムである。
【図３Ｂ】いくつかの実装形態に従う、音声起動式電子装置の上部部分及びドッキングデバイスを含む別の例示的な電子システムである。
【図３Ｃ】いくつかの実装形態に従う、音声起動式電子装置又は音声起動式電子装置の上部部分を受けるように構成された例示的なドッキングデバイスの上面図である。
【図３Ｄ】いくつかの実装形態に従う、移動可能な音声起動式電子装置を受けるように構成された例示的な薄型ドッキングステーションである。
【図４Ａ】音声起動式電子装置がメディアプレーヤのドッキングインタフェース上に配置された、いくつかの実装形態に従う例示的な電子システムである。
【図４Ｂ】いくつかの実施形態に従う例示的な電子システムであり、その電子システムにおいて、音声起動式電子装置の上部部分は、メディアプレーヤのドッキングインタフェース上に配置される。
【図４Ｃ】いくつかの実施形態に従う例示的な電子システムであり、その電子システムにおいて、音声起動式電子装置の上部部分は、メディアプレーヤのドッキングインタフェース内に部分的に含まれる。
【図５Ａ】いくつかの実装形態に従う、出荷箱に梱包された音声起動式電子装置１００の斜視図である。
【図５Ｂ】いくつかの実装形態に従う、音声起動式電子装置を受けるように構成された例示的な出荷箱である。
【発明を実施するための形態】
【００１５】
図面全体を通して、同じ参照番号は、その対応する部分を指すものとする。
実装形態の説明
デジタル革命は今まで、情報のオープンな共有を可能にすることからグローバルな一体感に至るまで、多くの恩恵をもたらしてきた。しかし、新しく登場する新技術は、消費者の間で混乱、疑い、恐れをしばしば引き起こし、そのことは、消費者がその技術から恩恵を受けることを妨げる。電子装置は、ユーザからの音声入力を受信して音声起動機能を開始する音声インターフェイスとして便利に使用されている。それによって、電子装置は、既存技術および新たに登場した技術の両方に対して簡単で生産的なユーザ対話を可能にするアイズフリーかつハンズフリーの解決策を提供する。具体的には、音声動作機能を備えた電子装置で受信された音声入力は、ユーザの視線が不明瞭でそのユーザの手が塞がっていたとしても、指示や情報を伝えることができる。ハンズフリー及びアイズフリーの体験を可能にするために、本発明に従う音声起動式電子装置は、常時またはそうするようにトリガされたときにのみ（例えば、電子装置の動作をトリガするための「ホットワード」をユーザが発話することを介して）、周囲を「聴取」する（すなわち、周囲から収集された音声信号を処理する）。一方、ユーザのアイデンティティは、ユーザの声およびユーザによって使用される言語に結び付けられる。ユーザのアイデンティティを保護するために、これらの音声起動式電子装置は、通常、保護され、管理された個人的な空間（例えば、家庭および車）である非公開の場所で使用される。しかし、公共の場所での使用も可能であり、本明細書に記載の装置の携帯性および接続機能の実装により、便利に利用することが可能になる。
【００１６】
具体的に、いくつかの実装形態では、電子装置は、スマートメディアまたはホーム環境内に結合された他のメディア再生装置またはスマートホーム装置上で、音声起動機能を起動させるためのアイズフリーでハンズフリーの音声インターフェイスを提供する。スマートメディア環境は、各々が別々の場所に配置された、１つ以上の音声起動式電子装置および複数のメディア表示装置を含む。電子装置のうちのいくつかは、キャスト装置（例えばセットトップボックスまたはメディアストリーミング装置）に結合されるか、またはそれを含む。そのキャスト装置は、無線ネットワークを介して、１つの装置からネットワーク接続された表示装置へ、メディアのセッションをキャストすることができる。各音声起動式電子装置は、サーバがユーザの音声要求を決定する音声メッセージを取り込む／記録するように構成され、その音声メッセージから、サーバはユーザの音声要求（例えば、メディアの再生要求、メディアの転送要求、またはクローズドキャプションの開始要求）を決定する。次に、サーバは、音声メッセージによって示されるように、ユーザの音声要求を宛先キャスト装置に転送する。いくつかの実装形態では、サーバは、メディアサーバ（「クラウドキャスト」装置と呼ばれることもある）を含み、そのメディアサーバは、ユーザ指定のメディアコンテンツを、ユーザ指定のメディア再生装置に送信する（例えば、いくつかの実装形態では、電子装置によって受信された音声コマンドにより、メディアコンテンツとメディア再生装置との両方が指定され、サーバに送信される）。同様の方法が、スマートホーム装置を制御してスマートホーム環境において音声起動機能を実装するために、使用することができる。そのような方法は、スマートメディア又はホーム環境においてメディア装置又はスマートホーム装置を制御するために、ユーザにリモコンまたはクライアント装置を使用することを要求する従来の方法を任意に補完または置換する。
【００１７】
本明細書で説明されている様々な実装に従い、ネットワーク接続型の音声起動式電子装置は、通常、スマートホーム環境の異なる場所の表面に配置される。各音声起動式電子装置は、スマートホーム環境全体と合致するフォームファクタを有するように構成される。例えば、音声起動式電子装置は、デスクトップ、家具の表面、ドッキングステーション、メディアプレーヤ装置または他の面を含む様々なタイプの表面と合致しかつ接触することができる基部を含む。そのような、音声起動式電子装置は、コンパクトで堅牢な方法でその基部に結合するように構成され、それによって様々なホーム環境に自然に溶け込む。
【００１８】
ここで実装について詳細に言及するが、その例は添付の図面に示されている。以下の詳細な説明では、記載されている様々な実装形態の徹底した理解を提供するために、多数の具体的な詳細が説明されている。しかしながら、記載された様々な実装形態が、これらの具体的な詳細が無しに実施されてよいことは当業者にとっては明らかであろう。他の例では、その実装形態の局面を不必要に曖昧にしないように、よく知られている方法、手順、構成要素、回路、およびネットワークは詳細には説明されていない。
【００１９】
図１Ａおよび図１Ｂは、いくつかの実装形態に従う、例示的な音声起動式電子装置１００の正面図および背面図である。電子装置１００は、上部部分１２０および基部１１０を含む全体の外面と、全体の外面に含まれる電子部品とを含む。電子装置１００は、家の多くの場所に自然に合うように、温かく魅力的な外観を持つように設計されている。いくつかの実装形態では、電子装置１００は、１つ以上のマイクロフォン１０２とフルカラーＬＥＤ１０４のアレイとを含む。フルカラーＬＥＤ１０４は、電子装置１００の上面の下に隠すことができ、それらが点灯されていないときにはユーザに見えないようにすることができる。いくつかの実装形態では、フルカラーＬＥＤ１０４のアレイは、物理的にリング状に配置される。いくつかの実装形態では、様々なスマートホーム環境に適合するように、ＬＥＤは様々な色の範囲および構成を備える。さらに、電子装置１００の背面は、電源と接合するように構成された電源コネクタ１０８をオプションとして含む。
【００２０】
いくつかの実装形態では、電子装置１００は目に見えるボタンが無いきれいな外観を提示し、電子装置１００との対話は、音声およびタッチジェスチャに基づく。あるいは、いくつかの実装形態では、電子装置１００は、限られた数の物理的なボタン（例えば、その背面上のボタン１０６）を含み、電子装置１００との対話は、音声およびタッチジェスチャに加えて、さらにボタンを押すことに基づく。
【００２１】
図２Ａは、いくつかの実装形態に従うオープン構成における電子装置１００の基部１１０に収容されたスピーカ１２２を示す音声起動式電子装置１００の斜視図である。１つ以上のスピーカ１２２が、電子装置１００内に配置され、隠されている。電子装置１００の基部１１０は、スピーカ１２２によって発生された音波が基部１１０を通過する（すなわち、基部１１０の向こう側に聞こえる）ことを可能にするため、多孔性又は音響透過性の壁を有する。より具体的には、電子装置１００は上部部分１２０を含み、上部部分１２０は第１の取り付け構造を有する第１の内面と、第１の内面を越えて第１の取り付け構造と反対方向に延在する第１の外面とを有する。電子装置１００はさらに基部１１０を含み、その基部１１０は、第２の取り付け構造を有する第２の内面と、円形の開口部２１８とを有する。第１および第２の内面は、第２の部分の円形開口部を通って第１の内面を移動することにより、第１および第２部分を分離位置（図２Ａに示す）から接合位置（図１Ａおよび図１Ｂに示す）に移動可能にする適合性のある形状を有する。その結果、上部部分１２０と基部１１０とが接合位置にあるとき、第１および第２の内面が入れ子状の配置を形成して、第１および第２の取り付け構造間の相互作用を可能にし、延在部分は第２の部分に接している。いくつかの実装形態では、入れ子状配置は、第１および第２の取り付け構造間の相互作用を可能する。この相互作用は上部部分と基部とが分離位置にあるときには不可能である。第１および第２の取り付け構造は、第１および第２の部分が接合位置にあるときには、互いに確実であるが分離可能な接続を形成するように構成されている。上部部分１２０および底部は、分離位置と接合位置との間で第１および第２の部分を移動するために、上部部分１２０および基部１１０の一方または両方の人間の手動操作により確実に接合されかつ分離されるように構成されている。
【００２２】
任意で、第１の取り付け構造を有する第１の内面は、上部部分１２０に固定され、上部および基部が接合位置にあるときには、電子装置内に隠される。任意で、第２の取り付け構造を有する第２の内面は基部１１０上に固定され、上部部分と基部が接合位置にあるときには、電子装置内に隠される。いくつかの実装形態では、第１および第２の取り付け構造は、上部部分および基部が接合位置にあるときには、磁気引力を介して、互いに確実ではあるが分離可能な接続を形成するように構成される。第１および第２の取り付け構造に関する、さらなる詳細は、図２Ｂおよび図２Ｃを参照して説明される。いくつかの実装形態では、人間の操作は、上部部分および基部の一方または両方の外面に適用され、電子装置１００の上部部分および基部の接合または分離を容易にするためのいかなる道具も含まない。
【００２３】
いくつかの実装形態では、電子装置１００は、フルカラーＬＥＤ１０４のアレイのサブセット、１つ以上のマイクロフォン１０２、１つ以上のスピーカ１２２、デュアルバンドＷｉＦｉ  ８０２．１１ａｃ無線、ブルートゥース（登録商標）ＬＥ無線、環境光センサ、ＵＳＢポート、プロセッサ、およびプロセッサによる実行のためのプログラムを少なくとも１つ格納するメモリを含む。さらに、いくつかの実装形態では、電子装置１００は、電子装置１００の上面がタッチされたことを検出するように構成されたタッチセンスアレイをさらに含む。タッチセンスアレイは、電子装置１００の上面の下に配備されており、隠されている。いくつかの実装形態では、タッチセンスアレイが、ビアホールの配列を含む回路基板の上面に配置され、フルカラーＬＥＤが、回路基板のビアホール内に配備される。回路基板が電子装置１００の上面のすぐ下に配置された場合、フルカラーＬＥＤ１０４およびタッチセンスアレイ１２４の両方が、電子装置１００の上面のすぐ下に同様に配備される。
【００２４】
いくつかの実装形態では、上部部分１２０は電子部品をさらに含み、外部電源に接続されたときに電子部品に電力を供給するように構成された電気コネクタ２０４を含む。基部１１０はカバー部を含み、第２の内面へのアクセスを可能にするように構成された第２の開口部を備えた第２の外面を含む。その結果、第１の部分と第２の部分が接合されると、第１の外面と第２の外面は電子装置の全体の外面を形成し、第２外面の第２開口部２１４は、第２の開口部２１４を通して挿入された電源コネクタを介して電気コネクタが外部電源に接続されたときに電子部品に電力が供給されるように、電気コネクタと位置合わせされる。いくつかの実装形態では、上部部分１２０および基部１１０はそれぞれ第１の内面および第２の内面を有する。上部部分１２０と基部１１０とを接合するために、上部部分１２０と基部１１０との第１と第２の内面との間の界面に接続が行われる。さらに、上部部分１２０は、第３の内面および第３の取り付け構造を有する任意の数の第３の部分と別々に接合することができ、その第３の内面および第３の取り付け構造は、基部１１０の第２の内面および第２の取り付け構造とそれぞれ同じ構成を有する。それにより、電子装置１００が、第１の外面と組み合わせて、様々なカバー部分を提供することが可能になる。
【００２５】
図２Ａを参照すると、いくつかの実装形態では、上部部分１２０および基部１１０を接合位置（図１Ａおよび図１Ｂ）から分離位置（図２Ａ）に移動させる人間の操作は、第１および第２の取り付け構造間の確実だが分離可能な接続を分離するのに十分な上部部分および基部の回転動作Ｂを含む。さらに、いくつかの実装形態では、上部部分および基部１２０および１１０を接合位置（図１Ａおよび図１Ｂ）から分離位置（図２Ａ）に移動させる人間の操作は、第１および第２の取り付け構造間の確実だが分離可能な接続を分離するのに十分な上部部分および基部の回転動作Ｂを含み、その回転動作Ｂの後に第１および第２の部分の分離動作Ａが続く。
【００２６】
あるいは、いくつかの実装形態では、上部部分１２０および基部１１０を分離位置（図２Ａ）から接合位置（図１Ａおよび１Ｂ）に移動させる人間の操作は、第１および第２の取り付け構造が確実ではあるが分離可能な接続を形成する位置まで行われる上部部分および基部の閉鎖動作Ａを含む。いくつかの実装形態では、上部部分１２０および基部１１０を分離位置（図２Ａ）から接合位置（図１Ａおよび１Ｂ）に移動させるための人間の操作は、上部部分および基部の閉鎖動作Ａを含み、この閉鎖動作Ａの後に、第１と第２の取り付け構造が確実ではあるが分離可能な接続を形成する位置に来るまで行われる上部部分および基部の回転動作Ｂが続く。いくつかの実装形態では、上部部分１２０は、第３の内面および第３の取り付け構造を有する任意の数の第３の面と別々に接合することができ、その第３の内面および第３の取り付け構造は、基部１１０の第２の内面および第２の取り付け構造とそれぞれ適合性のある構成を有する。それにより、上部部分１２０は適合性のある様々な表面を有する確実ではあるが分離可能な接続と嵌合することができる。
【００２７】
いくつかの実装形態では、第１および第２の取り付け構造は、上部部分および基部が接合位置にあるときに、磁気引力を介して互いに確実ではあるが分離可能な接続を形成するように構成される。図２Ｂは、いくつかの実装形態に従う、スピーカ１２２を含む例示的な音声起動式電子装置１００の上部部分１２０の底面図２２０である。図２Ｃは、いくつかの実装形態に従う、上部部分１２０のスピーカ１２２を含むように構成された例示的な音声起動式電子装置１００の基部１１０の上面図２４０である。図２Ｄは、いくつかの実装形態に従う、例示的な音声起動式電子装置の底面図であり、その装置において上部部分のスピーカは基部内に組み立てられる。
【００２８】
上部部分１２０は、一つ以上の第１の取り付け構造２０２とコンタクトピンポート２０８と含み、その両方は、上部部分１２０の底面２０６に配置される。上部部分１２０は、底面２０６から凹んだ側面に配置された電源ポート２０４をさらに含み、電源ポート２０４は、電源コネクタを受けるように構成される。基部１１０は、１つ以上の第２の取り付け構造２１２と、第２の開口部２１４と、第１の開口部２１６とを含み、それらのすべては基部１１０の内側の底面に配置される。図２Ｄを参照して、上部部分１２０と基部１１０とがその接合位置で接合された場合、底面２０６は第１の開口部２１６から露出し、上部部分１２０の電源ポート２０４は、基部１１０の第２の開口部２１４から露出して、電源コネクタが電源ポート２０４にアクセスすることを可能にする。いくつかの実装形態では、基部１１０の開口部２１６は円形であり、基部１１０の円形開口部２１８と環状である。基部１１０の開口部２１６は底部側に位置する。
【００２９】
図２Ｂを参照して、任意で、上部部分１２０の第１の取り付け構造２０２の各々は磁石（「Ｍ」）を含み、基部１１０の第２の取り付け構造２１２の各々は、磁気に吸着する材料で作られる。図２Ｃを参照して、任意で、第２の取り付け構造２１２の各々は磁石（「Ｍ」）を含み、第１の取り付け構造２０２の各々は、磁気に吸着する材料で作られる。
【００３０】
第１及び第２の取り付け構造２０２及び２１２の間の磁気引力は、第１及び第２の取り付け構造２０２及び２１２が互いに第１の好ましい向きにあるときに最も強い。第１の好ましい向きは、第１及び第２の取り付け構造２０２及び２１２の互いの可能な向きの一部である。一例では、第１の可能な向きに従って、第１の取り付け構造２０２Ａ及び２０２Ｂが第２の取り付け構造２１２Ａ及び２１２Ｂとそれぞれ位置が合うときに、第１の取り付け構造２０２と第２の取り付け構造２１２とは第１の好ましい向きにある。別の例では、第２の可能な向きに従って、第１の取り付け構造２０２及び第２の取り付け構造２１２は、第１の取り付け構造２０２Ａが第２の取り付け構造２１２Ｂと位置が合い、第１の取り付け構造２０２Ｂが第２の取り付け構造２１２Ａと位置が合うときに、第１の好ましい向きにある。さらに、いくつかの実装形態では、第１の取り付け構造２０２及び第２の取り付け構造２１２は、上部部分及び基部が互いに第２の好ましい向きにあるとき、第１の好ましい向きにある。第２の好ましい向きでは、上部部分１２０と基部１１０とは、上部部分と基部が組み立てられるとき、電源コネクタが電源ポート２０４にアクセスできるように、上部部分１２０の電源ポート２０４と基部の開口部２１４とが重なり合うように位置合わせされる。
【００３１】
いくつかの実装形態では、第１の取り付け構造２０２及び第２の取り付け構造２１２は、第１の取り付け構造２０２及び第２の取り付け構造２１２が好ましい向きにあるときにかみ合うように構成された相補的な表面トポロジーを有する。例えば、第２の取り付け構造２１２Ａ及び２１２Ｂは、基部２１０の内部底面の上に隆起しており、第２の外形及び第２の隆起高さを有する。第１の取り付け構造２０２Ａ及び２０２Ｂは、第１の取り付け構造２０２Ａ及び２０２Ｂが配置されている表面から陥没しており、第１の外形及び第１の陥没深さを有する。任意的に、第１及び第２の外形は互いに一致する。任意的に、第１の陥没深さ及び第２の隆起高さは互いに一致する。
【００３２】
いくつかの実装形態では、第１及び第２の取り付け構造の相補的表面トポロジーはさらに、第１の取り付け構造２０２及び第２の取り付け構造２１２を、好ましくない向きから好ましい向きに導くように構成される。好ましい向きと好ましくない向きとの間の相違は、第１の部分と第２の部分とを手動で操作して接合位置に動かす人間により、検出可能である。いくつかの実装形態では、相補的表面トポロジーは、基部１１０に対する上部部分１２０の回転に応答して（例えば、図２Ａの方向Ｂに沿って）、第１の取り付け構造２０２及び第２の取り付け構造２１２を好ましい向きに導くように構成されている。さらに、いくつかの実装形態では、第１の取り付け構造２０２及び第２の取り付け構造２１２が好ましくない向きにあるときに、上部部分１２０と基部１１０との外面の間に目に見える隙間がある。上部部分及び基部の外面は、第１及び第２の取り付け構造が好ましくない向きにあるとき、隣接面を形成する。いくつかの実装形態では、接合部は、上部部分と基部の外面間の界面で識別可能である。
【００３３】
いくつかの実装形態では、相補的表面トポロジーは、窪んだ多角形構造を有する第１及び第２の取り付け構造（２０２又は２１２）のうちの１つと、この窪んだ多角形構造と形状が相補的な突出した多角形構造を有する第１及び第２の取り付け構造（２１２又は２０２）の他方とを備える。その結果、上部部分１２０及び基部１１０が第２の好ましい向きにあるときが、窪んだ構造と突出した構造とが互いに嵌合する。いくつかの実施態様では、多角形構造はランプ形状（ramp-shape）の構造を備える。
【００３４】
図２Ｂ〜図２Ｄを参照すると、いくつかの実装形態では、電子装置１００は、上部部分１２０及び基部１１０をさらに含む外部全体を含む。外部全体に含まれる電子部品は、第１の電気コネクタ２０８（コンタクトピンポート２０８とも呼ばれる）を含み、この第１の電気コネクタ２０８は外部電源及び／又はデータコネクタに接続されたとき、電子部品に電力及び／又はデータを供給するように及び／又は電子部品からのデータ信号を出力するように構成される。第１の電気コネクタ２０８は、電子部品の基面２０６と実質的に同一平面上にあるパターンに形成される複数の第１の電気接点を含む。任意に、第１の接点は一列に配置される。基部は第１の開口部２１６を含み、この開口部は電子部品の基面における第１の電気コネクタ２０８の位置及び大きさに対応している。第１の開口部２１６は、第１の電気コネクタの複数の第１の電気接点２０８が、電子装置１００の外部の第２の表面に設けられた外部電源及び／又はデータコネクタの対応する複数の第２の電気接点と電気的に結合することが可能になるように構成される。いくつかの実装形態では、電子装置と、適合性のある外部のデータ及び／又は電源接続部との間の接続は、重力によって維持される。
【００３５】
いくつかの実装形態では、電力及び／又はデータコネクタは、電子部品にＤＣ動作電力を供給するように構成されている。いくつかの実装形態では、電力及び／又はデータコネクタは、電子部品への有線ネットワーク接続を提供するように構成されている。いくつかの実装形態では、電力及び／又はデータコネクタは、電子部品によって実行される１つ以上のソフトウェアアプリケーションにより与えられるデジタル信号を出力するように構成されている。デジタル信号は、ビデオ情報、オーディオ情報、可聴命令を含むユーザインタラクション情報、制御データ、及び位置情報のうち１つ以上を伝達する。
【００３６】
いくつかの実装形態では、第２の表面がゲーミングシステムで提供されるとき、電子部品は、ユーザから電子部品の機能を介して伝達されるユーザゲーミング入力を出力するように構成される。いくつかの実装形態では、第２の表面がオーディオシステムで提供されるとき、電子部品は、その電子部品の機能を介して伝達されるオーディオ情報を出力するように構成される。いくつかの実装形態では、第２の表面がデジタルメディアプレーヤシステムで提供されるとき、電子部品は、その電子部品の機能を介して伝達されるデジタルメディア情報を出力するように構成される。いくつかの実装形態では、第２の表面がオーディオシステムで提供されるとき、電子部品は、その電子部品の機能を介して伝達されるオーディオ情報を出力するように構成される。いくつかの実装形態では、第２の表面が携帯電子システムで提供されるとき、電子部品は、携帯電子システムの動作を制御するために、その電子部品の機能により伝達される制御情報を出力するように構成される。そして、その機能はユーザコマンド及び電子部品によって実行されるアプリケーションの出力のうち、一つ以上を反映している。
【００３７】
上部部分１２０と基部１１０とは分離可能であることに留意されたい。いくつかの実装形態では、上部部分１２０が電子部品に結合され、それによって、適合性のある異なる複数の基部１１０と、基部１１０との交換が可能になる。適合性のある異なる複数の基部１１０の各々は、大きさ及び位置が基部１１０の第１の開口部２１６に対応する第２の開口部２１６を含む。上記で説明したように、いくつかの実装形態では、上部部分１２０及び基部１１０は、上部部分１２０及び基部１１０の一方又は両方の人間による手動操作によって、確実に接合されかつ分離可能であるように構成される。さらに、いくつかの実装形態では、上部部分１２０は、第１の取り付け構造２０２を有する第１の内面と、第１の内面を越えて第１の取り付け構造２０２とは反対方向に延在する第１の外面とを含む。第１の内面は電子部品の周囲を画定する。基部１１０は、第２の取り付け構造２１２と円形開口部２１８とを有する第２の内面を含む。第１及び第２の内面は、基部１１０の円形開口部２１８を通る第１の内面の移動によって上部部分及び基部を分離位置から接合位置に移動可能にする適合性のある形状を有する。その結果、上部部分１２０及び基部１１０が接合位置にあるとき、第１及び第２の内面は、第１の取り付け構造２０２と第２の取り付け構造２１２との間の相互作用を可能にする入れ子構造を形成し、かつ延在部は基部１１０に接する。
【００３８】
いくつかの実装形態では、電気接点２０８は実質的に平坦でありかつ基部１１０は実質的に平坦であるため、電子装置１１０は、実質的に平坦な外部の電源及び／又はデータコネクタの対応する複数の電気接点に接続することができる。
【００３９】
本出願の一側面に従って、電子装置のカバー部分は、第２の取り付け構造と円形開口部２１８とを有する第２の内面を備えた基部１１０を含む。基部１１０は、第１の取り付け構造を有する第１の内面と、第１の内面を越えて第１の取り付け構造と反対方向に延在する第１の外面とを備えた電子装置の第１の部分と接合されるように構成される。第２の内面は、基部の円形開口部を通る第１の内面の移動を可能にするように構成される。その結果、第１の部分と第２の部分とが分離位置（図２Ａ）から接合位置（図１Ａ及び図１Ｂ）に移動するときに、第１及び第２の内面は、第１及び第２の取り付け構造間の相互作用を可能にする入れ子状の配置を形成し、かつ延在部は第２の部分に接する。第２の取り付け構造は、第１及び第２の部分が接合位置にあるときに、磁気引力を介した第１の取り付け構造への確実ではあるが分離可能である接続を形成するように構成される。基部１１０は、第１の部分と第２の部分を分離位置と接合位置との間で移動するために第１の部分及び第２の部分の一方又は両方の人間による手動操作により、第１の部分と確実に接合されたり、第１の部分から分離されたりするように構成される。
【００４０】
図３Ａは、いくつかの実装形態に従う、音声起動式電子装置１００及びドッキングデバイス３２０を含む例示的な電子システム３００を示す。図３Ｂは、いくつかの実装形態に従う、音声起動式電子装置１００の上部部分１２０及びドッキングデバイス３２０を含む別の例示的な電子システム３４０である。図３Ｃは、いくつかの実装形態に従う、音声起動式電子装置１００又は音声起動式電子装置１００の上部部分１２０を受けるように構成された例示的なドッキングデバイス３２０の上面図である。図３Ｄは、いくつかの実装形態に従う、移動可能な音声起動式電子装置１００を受けるように構成された例示的な薄型ドッキングステーション３２０である。図４Ａは、音声起動式電子装置１００がメディアプレーヤ４２０のドッキングインタフェース上に配置された、いくつかの実装形態に従う例示的な電子システム４００である。図４Ｂ及び図４Ｃはそれぞれ、いくつかの実施形態に従う２つの例示的な電子システム４４０及び４６０を示し、その電子システムにおいて、音声起動式電子装置１００の上部部分は、メディアプレーヤ４２０のドッキングインタフェース上に配置され、そのドッキングインタフェース内に部分的に含まれる。
【００４１】
上述のように、電子装置１００は、上部部分１２０と基部１１０とをさらに含む外部全体を含む。基部は、電子部品の基面における第１の電気コネクタ２０８の位置及び大きさに対応する第１の開口部２１６を含む。第１の開口部２１６は、第１の電気コネクタの複数の第１の電気接点２０８が、電子装置１００の外部の第２の表面に設けられた外部電源及び／又はデータコネクタの対応する複数の第２の電気接点３１２と電気的に結合できるように構成される。図３Ａ〜図３Ｄを参照して、いくつかの実装形態では、外部電源及び／又はデータコネクタの複数の第２の電気接点３１２を設けるように構成された電子装置１００の外部の第２の表面は、独立型ドッキングステーション３２０の一部である。ドッキングステーション３２０は、電子装置１００が基部１１０を含むか（図３Ａ）又は基部１１０を含まない（図３Ｂ）ときに、電子装置１００に電気的に結合するように構成される。いくつかの実装形態では、ドッキングステーション３２０の上面３１６の一部は実質的に平坦であるため、電子装置１１０は、ドッキングステーション３２０上の実質的に平坦な外部電源及び／又はデータコネクタの複数の第２の電気接点３１２に接続できるようになる。
【００４２】
いくつかの実装形態では、ドッキングステーション３２０は電源コネクタ３１４をさらに含む。その電源コネクタ３１４は、電子装置１００の電源ポート２０４と嵌合し、電子装置１００が好ましい向きに従ってドッキングステーション３２０に取り付けられたときに、電子装置に電力を供給するように構成される。好ましい向きでは、ドッキングステーション３２０の複数の第２の電気接点３１２および電源コネクタ３１４は、それぞれ、電子装置１００の複数の第１の電気接点２０８および電子装置１００の電源ポート２０４と位置合わせされる。
【００４３】
図３Ｄを参照して、いくつかの実装形態では、電子装置１００は移動可能であり、電子装置１００を移動させるように構成されたモータを含む。いくつかの実装形態では、そのような移動可能な電子装置１００は、ドッキングステーション３２０の電源にアクセスするため及び／又はドッキングステーション３２０と又はドッキングステーション３２０を介してデータを交換するため、ドッキングステーション３２０上を移動するように構成される。ドッキングステーション３２０は実質的に薄型であり、その結果、電子装置１００が薄型のドッキングステーション３２０上を移動できる。いくつかの実装形態では、電子装置１００は、複数の電気接点３１２の位置及び向きに従って、電子装置１００自体をドッキングステーション３２０と位置合わせする。同様に、適合性のある外部コネクタを介して表面でデータおよび電源接続を提供する移動可能な装置（例えば、家事用ロボット）の表面上に電子装置をドッキングすることができ、それにより、電子装置１００がその表面の動作を指令することができる。
【００４４】
いくつかの実装形態では、外部電源及び／又はデータコネクタの複数の第２の電気接点３１２を提供するように構成された電子装置１００外部の第２の表面は、カウンター、家具（例えばＴＶスタンド）、又は電気器具（例えばメディアプレーヤー４２０）の表面上に一体化される。図４Ａ〜図４Ｃを参照して、いくつかの実装形態では、メディアプレーヤ４２０は、電子装置１００が基部１１０を含む場合（図３Ａ）も、含まない場合（図３Ｂ）も、電子装置１００に電気的に結合されるように構成されたドッキング表面を有する。任意で、メディアプレーヤ４２０のドッキング表面は、外部電源及び／又はデータへのアクセスを電子装置１００に提供する複数の第２の電気接点３１２を含む。いくつかの実装形態では、電子装置１００は、電力を受信するため及び／又はデータを交換するためにメディアプレーヤ４２０に取り付けられたときに、実質的にメディアプレーヤ４２０の上部部分に位置する。代わりに、いくつかの実装形態では、電子装置１００のスピーカ部又は基部１１０は、電力を受信するため及び／又はデータを交換するためにメディアプレーヤ４２０に取り付けられたとき、メディアプレーヤ４２０内に実質的に含まれる。
【００４５】
図５Ａは、いくつかの実装形態に従う、出荷箱５０２に梱包された音声起動式電子装置１００の斜視図を示し、図５Ｂは、いくつかの実装形態に従う、音声起動式電子装置１００を受けるように構成された例示的な出荷箱５０２である。出荷箱５０２は、カバー部５０４と保持部５０６とを含む。カバー部５０４は、保持部５０６に対して開くように構成されている。保持部５０６の内部底面は、第１の凹部５１０と突出構造５１２とを含む。電子装置が出荷箱５０２内に配置されたとき、電子装置１００の上部部分１２０と基部１１０とが接合される。電子装置１００の基部１１０は、第１凹部５１０内に配置され固定される。いくつかの実装形態では、電子装置１００は、第１の凹部５１０内に置かれたときに、突出構造５１２が電子装置１００の電源ポート２０４に差し込まれように配向されることによって、追加の保持力を与えて電子装置１００を出荷箱１００内で確実に固定する。さらに、いくつかの実装形態では、出荷箱５０２のカバー部分５０４は、電子装置１１０の上部部分１２０の上面の幾何学的形状と一致するように構成された第２の凹部５０８をさらに含む。カバー部５０４が反転されて保持部５０６を覆うと、第２の凹部５０８が電子装置１１０の上部部分１２０の上面と接触し、それによって追加の保持力を与えて電子装置１００を出荷箱１００内に固定する。
【００４６】
本明細書中に記載されるさまざまな実現例の説明で用いる術語は、特定の実現例のみを説明する目的のためのものであり、限定を意図するものではない。記載されるさまざまな実現例の説明及び添付の請求項で用いるような「ａ」、「an」、及び「the」という単数形は、文脈が明確にそうでないと示していなければ、複数形も含むことが意図される。本明細書中で用いるような「及び／又は」という用語は、列挙される関連の項目のうち１つ以上のありとあらゆる可能な組合せを参照しかつこれを包含することも理解される。「含む」、「含んでいる」、「備える」、及び／又は「備えている」という用語は、この明細書で用いる場合、述べる特徴、整数、ステップ、動作、要素、及び／又は構成要素の存在を特定するが、１つ以上の他の特徴、整数、ステップ、動作、要素、構成要素、及び／又はその群の存在又は追加を排除するわけではないことがさらに理解される。
【００４７】
本明細書中で用いるような「ならば」という用語は、任意に、文脈に依存して、「したとき」又は「すると」又は「判定することに応答して」又は「検出することに応答して」又は「という判定に従って」を意味すると解釈される。同様に、「判定されれば」又は「［述べた条件又はイベントが］検出されれば」という句は、任意に、文脈に依存して、「判定すると」又は「判定に応答して」又は「［述べた条件又はイベントを］検出すると」又は「［述べた条件又はイベントを］検出するのに応答して」又は「［述べた条件又はイベントが］検出されるという判定に従って」を意味すると解釈される。
【００４８】
「スマートメディア環境」は、単一世帯の家などの家庭用スマート環境を指し得るが、本教示の範囲はそのように限定されないことを認めるべきである。本教示は、限定されることなく、二世帯住宅、タウンホーム、複数ユニット共同住宅、ホテル、小売店、オフィスビル、工業用建物、及びより一般的に任意の生活空間又は作業空間にも適用可能である。
【００４９】
ユーザ、顧客、設置作業者、住宅所有者、居住者、来客、テナント、家主、修理人などの用語は、本明細書中に記載されるある特定的な状況の文脈で行為を行なう１人の人又は複数の人を指すのに用いられ得るが、これらの参照は、そのような行為を行なっている１人の人又は複数の人に本教示の範囲を限定するものではないことも認めるべきである。このように、たとえば、ユーザ、顧客、購入者、設置作業者、加入者、及び住宅所有者という用語はしばしば、単一世帯住居の場合は、同じ人物を参照し得る。なぜなら、世帯主がしばしば購入の決定を行ない、ユニットを購入し、ユニットを設置しかつ構成し、かつユニットのユーザの１人でもある人物だからである。しかしながら、家主−テナント環境などの他のシナリオでは、顧客はユニットの購入については家主であり得、設置作業者はその土地のアパートの管理人であり得、第１のユーザはテナントであり得、第２のユーザは遠隔操作機能性については再び家主であり得る。重要なことに、行為を行なう人物のアイデンティティは、実現例のうち１つ以上が与える特定の利点に密接な関係があり得る一方で、以下の説明では、そのようなアイデンティティは、本教示の範囲をそれらの特定のアイデンティティを有するそれらの特定の個人に必ず限定すると解釈されるべきではない。
【００５０】
さまざまな図面は特定の順序で複数の論理的段階を示すが、順序に依存しない段階を再度順序付けてもよく、他の段階を組合せたり切離したりしてもよい。何らかの再順序付け又は他のグループ分けに具体的に言及がされるが、他のものが当業者には自明であり、そのため、本明細書中に提示される順序付け及びグループ分けは代替策の網羅的な列挙ではない。さらに、ハードウェア、ファームウェア、ソフトウェア、又はその任意の組合せで段階を実現可能であることを認識すべきである。
【００５１】
具体的な実現例を参照して、説明の目的のための以上の説明を記載した。しかしながら、例示的な上記の議論は、網羅的であること又は開示される正確な形態に請求項の範囲を限定することを意図しない。上記教示に鑑みて多数の修正例及び変更例が可能である。実現例は、請求項の基礎をなす原則及びそれらの実践的な適用例を最良に説明し、それにより、当業者が、企図される特定の用途に適するようなさまざまな修正例とともに実現例を最良に用いることができるようにするために選択された。
【図１Ａ】
2019530372.tif 000003
【図１Ｂ】
2019530372.tif 000004
【図２Ａ】
2019530372.tif 000005
【図２Ｂ】
2019530372.tif 000006
【図２Ｃ】
2019530372.tif 000007
【図２Ｄ】
2019530372.tif 000008
【図２Ｅ】
2019530372.tif 000009
【図２Ｆ】
2019530372.tif 000010
【図３Ａ】
2019530372.tif 000011
【図３Ｂ】
2019530372.tif 000012
【図３Ｃ】
2019530372.tif 000013
【図３Ｄ】
2019530372.tif 000014
【図４Ａ】
2019530372.tif 000015
【図４Ｂ】
2019530372.tif 000016
【図４Ｃ】
2019530372.tif 000017
【図５Ａ】
2019530372.tif 000018
【図５Ｂ】
2019530372.tif 000019
【国際調査報告】
2019530372.tif 000020